(57)【要約】【課題】　装置内部に排紙トレイを配置することにより、画像形成装置の設置面積を小さくするとともに、排紙トレイを画像形成装置内部に配置した場合、画像形成された記録紙の確認や取り扱い等の操作性を良くする。【解決手段】　ファクシミリ用ワンタッチ入力部の幅を他の操作表示部よりも幅狭に形成する。【選択図】　　　　図５
2004112832.tif 000002
【特許請求の範囲】
【請求項１】
原稿が載置される原稿載置部及び表示手段と操作手段とが設けられた操作表示部を有する上面部と、
　記録紙上に画像を形成する画像形成部と、
　該画像形成部に供給される記録紙を収納する記録紙収納部と、
　が上からこの順序で配置され、前記上面部と前記画像形成部との間に排紙トレイが設けられた画像形成装置において、
　前記操作表示部に画像形成開始釦、前記表示手段、テンキー及びファクシミリ用ワンタッチ入力部を設け、前記ファクシミリ用ワンタッチ入力部を前記排紙トレイの上方に配置するとともに、前記ファクシミリ用ワンタッチ入力部が設けられた前記操作表示部の幅を前記操作表示部の他の部分の幅よりも小さくしたことを特徴とする画像形成装置。
【発明の詳細な説明】
【技術分野】
【０００１】
　本発明はファクシミリ機能を有する画像形成装置に関し、特に、画像が形成され、排出された記録紙の取り扱い等の操作性の改良に関する。
【背景技術】
【０００２】
　画像形成装置に関しては、装置自体を小型化するために、様々な改良工夫がなされてきたが、装置の占有面積を縮小するための改良工夫も行われている。排紙トレイを画像形成装置内部に形成することにより、画像形成装置の占有面積を縮小することもその一つであり、最近の小型の画像形成装置に多く採用されている。
【発明の開示】
【発明が解決しようとする課題】
【０００３】
　画像が記録された記録紙が排出される排紙トレイを前記画像形成装置の内部に形成した場合、排紙された記録紙の取り扱いが不便になるという問題がある。即ち、排紙された記録紙を目視で監視することができない場合や排紙された記録紙を取り出すときの操作性が低下する場合がある。
【０００４】
　本発明は画像が記録され、排紙された記録紙の取り扱い上の前記した問題を解決することを目的とする。
【課題を解決するための手段】
【０００５】
　前記の本発明の目的は下記の発明により達成される。
原稿が載置される原稿載置部及び表示手段と操作手段とが設けられた操作表示部を有する上面部と、
　記録紙上に画像を形成する画像形成部と、
　該画像形成部に供給される記録紙を収納する記録紙収納部と、
　が上からこの順序で配置され、前記上面部と前記画像形成部との間に排紙トレイが設けられた画像形成装置において、
　前記操作表示部に画像形成開始釦、前記表示手段、テンキー及びファクシミリ用ワンタッチ入力部を設け、前記ファクシミリ用ワンタッチ入力部を前記排紙トレイの上方に配置するとともに、前記ファクシミリ用ワンタッチ入力部が設けられた前記操作表示部の幅を前記操作表示部の他の部分の幅よりも小さくしたことを特徴とする画像形成装置。
【発明の効果】
【０００６】
　請求項１の発明により、画像形成装置内部に排紙トレイが配置された画像形成装置において、記録紙の排出の確認や排紙された記録紙の取り扱いが容易になる。しかも、操作表示部の面積を抑制したにもかかわらず、狭い操作表示部にファクシミリ用ワンタッチ入力部を配置することにより、良好な操作性が確保される。
【発明を実施するための最良の形態】
【０００７】
　（１）実施の形態１
　本発明の実施の形態に係る画像形成装置を図１により説明する。
【０００８】
　図１は、本発明の実施の形態１に係る画像形成装置１００の構成を示す図である。
【０００９】
　図において、画像形成装置１００内には枠体１０１が設けられており、この枠体１０１には、自動原稿搬送装置Ａ、自動原稿搬送装置Ａにより搬送される原稿の画像を読み取るための原稿画像読取部Ｂ、読み取った原稿画像を処理する画像制御基板Ｃ、感光体１０と、その周囲に配置された帯電電極１４と、磁気ブラシ型現像装置からなる現像手段１６と、転写電極１８と、分離電極２０と、クリーニング手段２１と、画像処理後のデータに従って像担持体としてのドラム状の感光体１０を露光する書込装置Ｄとを含む画像形成部Ｅ及び記録紙Ｐを収納する給紙トレイ２２、２４のための収納部Ｆが設けられている。
【００１０】
　自動原稿搬送装置Ａは、原稿載置部としての原稿載置台２６と、ローラＲ１を含むローラ群および原稿の移動通路を適宜切り替えるための切換手段等（参照記号なし）を含む原稿搬送処理部２８とを主要素とする。
【００１１】
　原稿画像読取部Ｂは、上部に設けたプラテンガラスＧと、そのプラテンガラスＧの下にあり、光路長を保つように往復移動できる２つのミラーユニット３０、３１、結像レンズ（以下、単にレンズという）３３、ライン状の撮像素子（以下、ＣＣＤという）３５等を設けたものからり、書込装置Ｄは、光源としての半導体レーザ４０、光偏向手段としての回転多面鏡４２等からなる。
【００１２】
　記録紙Ｐの移動方向からみて、転写電極１８の手前側に示すＲ１０はレジストローラであり、分離電極２０の下流側にＨで示してあるのは定着手段である。
【００１３】
　定着手段Ｈは、実施の形態においては、加熱源を内蔵するローラと、当該ローラに圧接しながら回転する圧接ローラとで構成してある。
【００１４】
　また、Ｚは定着手段Ｈのためのクリーニング手段で、巻き取り可能に設けたクリーニングウェブを主要素とする。
【００１５】
　原稿載置台２６上に載置される原稿（図示せず）の１枚が原稿搬送処理部２８によって搬送され、ローラＲ１の下を通過中に、露光手段Ｌによる露光が行われる。
【００１６】
　原稿からの反射光は、移動するミラーユニット３０、３１と、レンズ３３を経て固定されたＣＣＤ３５上に結像され、読み取られる。
【００１７】
　原稿画像読取部Ｂで読み取られた画像情報は、画像処理手段により処理され、符号化されて画像制御基板Ｃ上に設けてあるメモリーに格納される。
【００１８】
　また、画像データは画像形成に応じて呼び出され、当該画像データに従って、書込装置Ｄにおけるレーザ光源４０が駆動され、回転多面鏡４２の回転で感光体１０上に露光が行われる。
【００１９】
　当該露光に先立ち、矢印方向（反時計方向）に回転する感光体１０は、帯電電極１４のコロナ放電作用により所定の表面電位を付与されているが、露光により、露光部位の電位が露光量に応じて減じ、結果として、画像データに応じた静電潜像が感光体１０上に形成される。
【００２０】
　静電潜像は、現像手段１６に設けられた磁気ブラシにより反転現像され、可視像（トナー像）とされる。
【００２１】
　一方、感光体１０上のトナー像の先端部が転写領域に到達する前に、例えば、給紙トレイ２２内の１枚の記録紙Ｐが給紙搬送されてレジストローラＲ１０に到達し、先端規制される。
【００２２】
　記録紙Ｐは、トナー像、即ち感光体１０上の画像領域と重畳するように、同期を取って回転を開始する一対のレジストローラＲ１０により転写領域に向けて搬送される。
【００２３】
　転写領域において、感光体１０上のトナー像は転写電極１８の付勢により記録紙Ｐ上に転写され、次いで、当該記録紙Ｐは分離電極２０の付勢により感光体１０から分離される。
【００２４】
　その後、定着手段Ｈの加圧、加熱により、トナー像を形成するトナー粉末は記録紙Ｐ上に溶融定着され、当該記録紙Ｐは、排紙通路７８および排紙ローラ７９を介して排紙トレイＴ上に排紙される。
【００２５】
　第１記録紙収納部を構成する給紙トレイ２４は、図示しないコイルバネ等の付勢手段により、常時、自由端が上方向に付勢される可動板Ｓを有し、この可動板に載置された記録紙Ｐの最上位の紙が後述する送り出しローラに接触するようになっている。
【００２６】
　第１記録紙収納部を構成する給紙トレイ２２も上述の構成と同じ構成を有している。
【００２７】
　給紙トレイ２２、２４は、実施の態様において、上下方向２段に配設した形態である。
【００２８】
　給紙トレイ２２、２４のそれぞれの先端部（給紙方向からみて、収納される記録紙Ｐの先端に対応する）上部に示す５０および５３はローラからなる給紙手段（以下、送り出しローラという）、５１および５４１はフィードローラ、５２および５５１は重送防止ローラである。
【００２９】
　送り出しローラ５０、５３とフィードローラ５１、５４１とはユニット化してあり、装置本体側に設けた駆動源と接続している駆動軸あるいは給紙部に設けた係止手段に対して容易に着脱できる構成を有する。
【００３０】
　画像形成装置１００の給紙トレイ２４の下方には、第２記録紙収納部としての給紙トレイ２４１、２４２を内蔵した給紙ユニット１０２が設けられており、前記給紙トレイ２４と同様に、給紙トレイ２４１にはユニット化した送り出しローラ５４、フィードローラ５４２と、フィードローラ５４２に接触した重送防止ローラ５５２とが設けられている。
【００３１】
　給紙ユニット１０２はオプションユニットとして画像形成装置１００の下部に設けられたものであり、給紙ユニット１０２が付加されない画像形成装置を構成することもできる。このように、給紙ユニット１０２が付加されない画像形成装置においては、給紙トレイ２４の直ぐ下に記録紙Ｐのスイッチバックを行うスイッチバック部が形成される。
【００３２】
　前記給紙トレイ２４２にもユニット化した送り出しローラ５５とフィードローラ５４３と、フィードローラ５４３に接触した重送防止ローラ５５３とが設けられており、更に、前記重送防止ローラ５２、５５１、５５２、５５３もユニット化してあり、装置本体の固定部に設けた固定部材に対して容易に着脱できるように構成している。
【００３３】
　又、画像形成装置１００の側方には手差し給紙トレイ６０が設けられている。　６１は手差し給紙トレイ６０上に載置される記録紙を画像形成に伴って送り出すためのローラからなる送り出しローラ、６３は送り出しローラ６１の下流に設けてあるフィードローラ、６５はフィードローラ６３と圧接し、記録紙Ｐの複数枚送りを防止するための重送防止ローラで、前述した給紙トレイ２２、２４の場合と実質的に同じ構成を有する。又、送り出しローラ６１に手差し用の記録紙Ｐを圧接させるための押し上げ板６０１が設けられている。
【００３４】
　手差し給紙トレイ６０から送り出される記録紙Ｐは、反転用搬送路１０５と交差する交差路６５１を通過し、一対の搬送ローラＲ４０を介して搬送路６６に搬送されるように構成されている。
【００３５】
　７０は、記録紙Ｐ上に転写による画像形成を行わせるための画像形成部搬送部で、適宜の給紙トレイから送り出される記録紙の移動方向から見て、下方から上方に延びている。
【００３６】
　７２は上段の給紙トレイ２２に収納される記録紙用の給紙通路、７４は下段の給紙トレイ２４に収納される記録紙用の給紙通路であり、更に、給紙ユニット１０２の給紙トレイ２４１、２４２にも給紙通路７２１、７４１が設けられている。そしてこの給紙通路７２１、７４１より給紙を可能にするため、一対の搬送ローラＲ３０を有する給紙搬送路１０９が給紙ユニット１０２に形成されており、更に、給紙搬送路１０９に続く給紙搬送路１１０が画像形成装置１００の枠体１０１に設けられている。
【００３７】
　７６は、給紙トレイ２２、２４、２４１、２４２、及び手差し給紙トレイ６０から送り出される記録紙Ｐが合流する合流部（画像形成部搬送部７０の一部）である。
【００３８】
　７８は、所定の画像形成がなされた記録紙を排紙トレイＴ上に排紙するための排紙通路である。
【００３９】
　又、記録紙の両面に画像形成を行う場合に使用する記録紙の表裏反転用の反転搬送部８０と、図の上方において、画像形成部搬送部７０とつながっている。
【００４０】
　反転搬送部８０は、記録紙を表裏反転して搬送する搬送部であり、反転用搬送路１０５、１０６、１０７及びスイッチバック部２５を有する。
【００４１】
　記録紙を更に下方に搬送するため給紙搬送路１０９と並行に給紙ユニット１０２内には下方に向かって反転用搬送路１０７が形成されている。給紙トレイ２４２底部（底壁と同義）と装置本体の底壁との間には、反転用搬送路１０７より所定の間隙を持ったスイッチバック部２５が形成されている。スイッチバック部２５は、記録紙Ｐの両面に画像を形成する態様（モード）において使用するものである。
【００４２】
　又、反転する搬送ローラＲ２０により反転用搬送路１０７の移動方向を反転した記録紙Ｐを給紙搬送路１１０から合流部７６に搬送するための反転切換通路１０８（図３を参照）が反転用搬送路１０６と給紙搬送路１１０との間に形成されている。
【００４３】
　上記から理解されるように、画像形成部搬送部７０から反転搬送部８０までの経路は、画像形成装置１００の側端壁において縦方向に長いループ状をなしている。
【００４４】
　画像形成プロセスにおいて、反転搬送部８０を移動してくる記録紙Ｐが反転用搬送路１０７を介してスイッチバック部２５に向けて送り出された時、当該記録紙Ｐの後端は搬送ローラＲ２０で把持されているように構成してあり、従って、スイッチバック部２５には記録紙の一部分が収納されることになる。
【００４５】
　９０は（上側）分岐ガイドで、第１面に画像形成された記録紙Ｐを排紙通路７８に向かわせたり、または、反転搬送部８０に向かわせたりするように制御される。分岐ガイド９０はユーザが設定する画像形成モード（記録紙の片面のみに画像を形成するモードか、記録紙の両面に画像を形成するモードか）に応じて制御され、記録紙搬送路を切換える。
【００４６】
　例えば、記録紙の両面に画像形成を行うモードが設定されている場合、分岐ガイド９０は、第１面に画像形成され、転写トナー像を有するに至った記録紙Ｐを反転搬送部８０に送り込むように、図の破線位置に位置づけられ、反転搬送部８０に記録紙を送り込んだ後は、図の実線位置をとるように図示しない制御部を介して制御される。
【００４７】
　次に、上記構成の画像形成装置１００において、記録紙Ｐの第１面に画像を形成し、次いで第２面に画像を形成する両面画像形成プロセスを説明する。
【００４８】
　図２と図３は、記録紙Ｐの第２面に画像を形成し、記録紙を排紙するまでの記録紙Ｐの搬送過程を示す。
【００４９】
　図２において、前述した如く、第１面に画像が形成され定着された記録紙Ｐが画像形成部搬送部７０を上方に移動し、その先端が分岐ガイド９０に達したとき、分岐ガイド９０は図の破線位置にあり、記録紙Ｐは反転搬送部８０に進入し、反転用搬送路１０５を搬送ローラにより搬送されて下方に移動を継続する。
【００５０】
　反転搬送部８０の進入部は緩やかな円弧を描いており、記録紙Ｐのスムーズな移動が保証されている。
【００５１】
　記録紙Ｐは、反転用搬送路１０５を下降し、交差路６５１を通過して反転用搬送路１０６に達し、一対の搬送ローラＲ２０により搬送されて給紙ユニット１０２の反転用搬送路１０７を下方へ移動する。記録紙Ｐの後端が搬送ローラＲ２０の位置に達したとき、制御部で搬送ローラＲ２０を停止する。即ち、搬送ローラＲ２０は記録紙Ｐの後端を挟持した状態で停止する。このように反転用搬送路１０７を通過した記録紙Ｐの先端部はスイッチバック部２５に進入して停止する。
【００５２】
　次に、搬送ローラＲ２０がその回転方向を逆転し、記録紙Ｐを給紙搬送路１１０に反転搬送する。なお、図２に示すように、記録紙Ｐが反転用搬送路１０７において、反転搬送されている間に次の記録紙Ｐを給紙トレイ２４、２４１、２４２の何れかから給紙搬送路１０９、１１０を介して画像形成部Ｅに搬送して記録紙Ｐの第１面に画像を形成することができる。連続画像形成工程においてはこのような給紙が行われる。
【００５３】
　このようにして先行する記録紙Ｐを表裏反転すると同時に次の記録紙Ｐを搬送ローラＲ３０で給紙搬送して記録紙Ｐの第１面に画像形成部Ｅで画像を形成することができるため、給紙搬送効率をあげることができる。
【００５４】
　次に、搬送ローラＲ２０が逆転し、記録紙Ｐを給紙搬送路１１０に搬送するが、この記録紙搬送を図３により説明する。
【００５５】
　図３に示すように、弾性部材よりなる反転搬送案内板１１１が設けられ、その反転搬送案内板１１１の一端が枠体１０１に形成された反転切換通路１０８の壁面に固定され、他端を反転用搬送路１０５を塞ぐように設けられている。
【００５６】
　この反転搬送案内板１１１は反転用搬送路１０５を点線矢印方向に記録紙Ｐが搬送されるときには一点鎖線の方向に湾曲して記録紙Ｐを通過させ、実線矢印方向に記録紙Ｐが搬送されるときには、反転切換通路１０８に案内するように構成されている。
【００５７】
　搬送ローラＲ２０が実線矢印方向に回転し、記録紙Ｐが反転用搬送路１０７の位置より反転搬送を開始すると記録紙Ｐの先端は反転搬送案内板１１１で反転切換通路１０８に案内され、給紙搬送路１１０に搬送路が切り換わり、その後、記録紙Ｐは表裏を反転された状態、即ち、画像が形成されていない第２面が感光体１０側に向いた状態で合流部７６に送り込まれ、レジストローラＲ１０で先端規制される。
【００５８】
　一方、感光体１０上には、前述したプロセスにより第２のトナー画像が形成されており、感光体１０の回転に同期してレジストローラＲ１０が回転を始めると、記録紙Ｐが転写領域に進入して第２のトナー像が記録紙Ｐの第２面に形成される。
【００５９】
　以後、転写処理、分離処理、定着処理がなされた記録紙Ｐの先端が分岐ガイド９０のある部分に達したとき、前以て、分岐ガイド９０は図の実線位置に保たれており、画像形成部搬送部７０と排紙通路７８とを連通状態とし、反転搬送部８０との連通を絶っているので、記録紙Ｐは排紙通路７８に進入し、排紙ローラ７９を介して排紙トレイＴ上に排出される。
【００６０】
　本実施の形態では、排紙トレイＴに排紙された記録紙Ｐの取り扱いを容易にするために画像形成装置１００の上面部を以下に説明するように形成している。
【００６１】
　図４は本発明の実施の形態１にかかる画像形成装置の斜視図、図５は本発明の実施の形態１に係る画像形成装置の操作表示部の平面図である。
【００６２】
　画像形成装置１００はプラテンガラスＧ上に載置された原稿又は自動原稿搬送装置Ａにより搬送される原稿を読み取って、読取画像を再生する複写機能とプラテンガラスＧ上に載置された原稿又は自動原稿搬送装置Ａにより搬送される原稿を読み取って、ファクシミリ送信し、また、ファクシミリ受信した画像データから記録紙に画像を再生するファクシミリ機能とを具備している。
【００６３】
　図４に示すように画像形成装置１００の上面部は原稿が載置されるプラテンガラスＧと操作表示部３０１で構成される。更に、プラテンガラスＧの上には原稿が載置される原稿載置部としての原稿載置台２６を有する自動原稿搬送装置Ａが配置される。前記上面部の下方には原稿の画像を読み取るための原稿画像読取部Ｂが設けられている。操作表示部３０１には、操作手段としての記録枚数を入力するテンキー３０２と、表示手段としての液晶パネルで構成された表示部３０３と、操作手段としての始動ボタン３０４とが設けられ、更に、表示部３０３の横側には横長に形成したファクシミリ用ワンタッチ入力部３０８が設けられている。ファクシミリ用ワンンタッチ入力部３０８に設けられた多数の釦の各々は特定の電話番号に対応しており、各釦を押すワンタッチ操作で送信先を呼び出す機能を有する。
【００６４】
　そして、ファクシミリ用ワンタッチ入力部３０８が設けられている操作表示部３０１の幅が、テンキー３０２と、液表示部３０３、及び、始動ボタン３０４で形成された操作表示部の幅よりも狭く形成されている。従って、ファクシミリワンタッチ入力部３０８が設けられている操作表示部３０１の前縁３０７はその他の操作表示部３０１の部分の前縁３０６よりも後退した形状になっている（図５参照）。
【００６５】
　従って、図５に示すように排紙トレイＴに記録紙Ｐが排紙される状態を確認することが容易となる。更に、排紙トレイＴに排紙された記録紙Ｐの取り扱いが容易になる。
【００６６】
　（２）実施の形態２
　本実施の形態は手差し給紙トレイ６０を用いて記録紙Ｐを表裏反転するものである。本実施の形態にかかる画像形成装置は図１に示す構成を有する。画像形成部等の構成と作用は実施の形態１と同様であるので画像形成部Ｅ等についての説明を省略するが、両面画像形成における記録紙Ｐの反転搬送について図１と図６とを用いて説明する。
【００６７】
　図６は本実施の形態の要部である反転用搬送路の作動を説明する図であり、図６に示すように、手差し給紙トレイ６０に設けた正回転と逆回転を可能にしたフィードローラ６３と、逆回転のみ可能な、即ち、記録紙Ｐを手差し給紙トレイ６０に向かわせる方向に回転可能な重送防止ローラ６５との軸に各々記録紙搬送切換部材６３１、６５２が設けられている。
【００６８】
　第１面に画像形成され定着された記録紙Ｐが画像形成部搬送部７０を上方に移動し、その先端が分岐ガイド９０に達したとき、当該分岐ガイド９０は図の破線位置に保たれているので、記録紙Ｐは反転搬送部８０に進入し、反転用搬送路１０５を搬送ローラで下方に移動を継続する。
【００６９】
　反転用搬送路１０５を記録紙Ｐが下降し、交差路６５１で記録紙搬送切換部材６５２によりフィードローラ６３と、重送防止ローラ６５間に記録紙Ｐが進行し、逆回転するフィードローラ６３、重送防止ローラ６５、及び送り出しローラ６１により、手差し給紙トレイ６０上に搬送される。フィードローラ６３と送り出しローラ６１とは通常の回転方向を反転して記録紙Ｐを手差し給紙トレイ６０へ搬送した後に、通常の回転方向に回転して手差し給紙トレイ６０から記録紙を画像形成部Ｅに向けて搬送する反転搬送手段を構成する。
【００７０】
　以下図６（ａ）、（ｂ）により、記録紙がＰ手差し給紙トレイより反転搬送される過程を説明する。
【００７１】
　図６（ａ）においては、記録紙搬送切換部材６３１が反転用搬送路１０５から後退し、記録紙搬送切換部材６５２が反転用搬送路１０６を閉じる位置を占めている。図６（ａ）において反転用搬送路１０５より搬送された記録紙Ｐは、交差路６５１により記録紙搬送切換部材６５２により案内されて、逆回転するフィードローラ６３と、重送防止ローラ６５と、送り出しローラ６１とにより、手差し給紙トレイ６０上に搬送される。図６（ａ）において、記録紙Ｐの後端が反転用搬送路１０５から離れて、フィードローラ６３の重送防止ローラ６５により保持された状態で、送り出しローラ６１及びフィードローラ６３は回転方向を反転し図６（ｂ）に示すように回転する。
【００７２】
　図６（ｂ）は、送り出しローラ６１、フィードローラ６３及び重送防止ローラ６５を正回転させて、手差し給紙トレイ６０上の記録紙Ｐを画像形成部Ｅに向けて搬送する状態を示す。これらのローラにより搬送される記録紙Ｐは合流部７６に送り込まれ、レジストローラＲ１０で先端規制される。
【００７３】
　このようにして手差し給紙トレイ６０を用いて記録紙Ｐを反転搬送し記録紙Ｐの両面に画像が形成される。
【００７４】
　（３）実施の形態３
　本実施の形態は手差し給紙トレイ６０から送り出された記録紙Ｐを表裏反転した後に画像形成部Ｅに供給して画像を形成するものである。本実施の形態は手差し給紙トレイ６０上に載置された記録紙Ｐの表面に画像が形成されるので、画像形成面が特定された記録紙に誤り無く画像を形成することを可能にする。
【００７５】
　本実施の形態にかかる画像形成装置は図１に示す構成を有する。画像形成部等の構成と作用は実施の形態１と同様であるので画像形成部Ｅ等についての説明を省略するが、記録紙Ｐの反転給紙について図１と図７とを用いて説明する。
【００７６】
　図７は本実施の形態の要部である反転用搬送路の作動を説明する図であり、図７（ａ）は、記録紙Ｐを手差し給紙トレイ６０上に画像を形成する面を表面にして載置した状態を示す。
【００７７】
　図７（ａ）においては、記録紙搬送切換部材６３１は交差路６５１内の実線位置にあり、手差し給紙トレイ６０から搬送された記録紙Ｐの先端を反転用搬送路１０６に向かわせる。図７（ａ）の状態で、記録紙Ｐを送り出しローラ６１とフィードローラ６３と搬送ローラＲ５０とにより矢印で示すように搬送した後に、図７（ａ）における記録紙Ｐの後端がフィードローラ６３と重送防止ローラ６５から離れて搬送ローラＲ５０の近傍に達した時点で、搬送ローラＲ５０の回転方向を反転して、記録紙Ｐを上方に搬送する。搬送ローラＲ５０の反転時に、搬送路から後退した位置にあった記録紙搬送切換部材６５２が図７（ｂ）に示す位置、即ち、図７（ｂ）における記録紙Ｐの先端部を搬送ローラＲ４０に向かわせる位置に移動し、搬送ローラＲ５０により搬送される記録紙Ｐを搬送ローラＲ４０に送り込む。このような反転搬送手段としての搬送ローラＲ５０によるスイッチバック作用で表裏反転された記録紙Ｐは合流部７６に送り込まれる。その結果、画像形成部Ｅにおいて手差し給紙トレイ６０に載置された記録紙Ｐの上面に画像が形成される。
【図面の簡単な説明】
【００７８】
【図１】本発明の実施の形態に係る画像形成装置の構成を示す図である。
【図２】本発明の実施の形態１の要部の断面図である。
【図３】本発明の実施の形態１の要部の拡大断面図である。
【図４】本発明の実施の形態１にかかる画像形成装置の斜視図である。
【図５】本発明の実施の形態１に係る画像形成装置の操作表示部の平面図である。
【図６】本発明の実施の形態２に係る画像形成装置の要部の作動を説明する図である。
【図７】本発明の実施の形態３に係る画像形成装置の要部の作動を説明する図である。
【符号の説明】
【００７９】
　１０　感光体
　１６　現像手袋
　２２、２４、２４１、２４２　給紙トレイ
　２５　スイッチバック部
　６０　手差し給紙トレイ
　３０１　操作表示部
　３０８　ファクシミリ用ワンタッチ入力部
　Ｔ　排紙トレイ
　Ｇ　プラテンガラス
　Ｐ　記録紙
【図１】
2004112832.tif 000003
【図２】
2004112832.tif 000004
【図３】
2004112832.tif 000005
【図４】
2004112832.tif 000006
【図５】
2004112832.tif 000007
【図６】
2004112832.tif 000008
【図７】
2004112832.tif 000009